(57)【特許請求の範囲】
【請求項１】
所定の端末上に表示された所定のWEBサイトのWEBページにおける予め定めた所定条件の発生を計測する処理を行う情報処理装置において、
前記所定条件を識別する条件識別情報と、前記所定条件として表示される測定項目名とを対応付けて記憶する測定項目設定DBと、
前記WEBページにおいて前記所定条件が発生した場合に、前記WEBページのデータを送信することにより前記端末の画面に前記WEBページを表示させているサーバ装置から通知される、前記WEBサイトを識別するサイト識別情報と、発生した前記所定条件の前記条件識別情報とを記憶する発生条件記憶部と、
前記発生条件記憶部に記憶されている情報を前記条件識別情報ごとに集計し、集計結果をまとめた管理画面の前記条件識別情報を、前記測定項目設定DBに基づいて前記測定項目名に置き換えた前記管理画面を生成する管理画面制御部と
を備える情報処理装置。
【請求項２】
前記測定項目設定DBは、前記条件識別情報と前記測定項目名とを対応付けた測定項目テーブルを、WEBサイトごとに記憶する
請求項１に記載の情報処理装置。
【請求項３】
所定の端末上に表示された所定のWEBサイトのWEBページにおける予め定めた所定条件の発生を計測する処理を行う情報処理装置による情報処理方法であって、
前記WEBページにおいて前記所定条件が発生した場合に、前記WEBページのデータを送信することにより前記端末の画面に前記WEBページを表示させているサーバ装置から通知される、前記WEBサイトを識別するサイト識別情報と、発生した前記所定条件を識別する条件識別情報とを発生条件記憶部に記憶し、
前記発生条件記憶部に記憶されている情報を前記条件識別情報ごとに集計し、集計結果をまとめた管理画面の前記条件識別情報を、前記条件識別情報と前記所定条件として表示される測定項目名とを対応付けて記憶する測定項目設定DBに基づいて前記測定項目名に置き換えた前記管理画面を生成する
ステップを含む情報処理方法。
【請求項４】
所定の端末上に表示された所定のWEBサイトのWEBページにおける予め定めた所定条件の発生を計測する処理を行うコンピュータに、
前記WEBページにおいて前記所定条件が発生した場合に、前記WEBページのデータを送信することにより前記端末の画面に前記WEBページを表示させているサーバ装置から通知される、前記WEBサイトを識別するサイト識別情報と、発生した前記所定条件を識別する条件識別情報とを発生条件記憶部に記憶し、
前記発生条件記憶部に記憶されている情報を前記条件識別情報ごとに集計し、集計結果をまとめた管理画面の前記条件識別情報を、前記条件識別情報と前記所定条件として表示される測定項目名とを対応付けて記憶する測定項目設定DBに基づいて前記測定項目名に置き換えた前記管理画面を生成する
ステップを含む処理を実行させるためのプログラム。
【請求項５】
所定の端末で実行されているアプリケーションの画面における予め定めた所定条件の発生を計測する処理を行う情報処理装置において、
前記所定条件を識別する条件識別情報と、前記所定条件として表示される測定項目名とを対応付けて記憶する測定項目設定DBと、
前記画面において前記所定条件が発生した場合に、前記アプリケーションから通知される、前記アプリケーションを識別するアプリ識別情報と、発生した前記所定条件の前記条件識別情報とを記憶する発生条件記憶部と、
前記発生条件記憶部に記憶されている情報を前記条件識別情報ごとに集計し、集計結果をまとめた管理画面の前記条件識別情報を、前記測定項目設定DBに基づいて前記測定項目名に置き換えた前記管理画面を生成する管理画面制御部と
を備える情報処理装置。
【請求項６】
所定の端末で実行されているアプリケーションの画面における予め定めた所定条件の発生を計測する処理を行う情報処理装置による情報処理方法であって、
前記画面において前記所定条件が発生した場合に、前記アプリケーションから通知される、前記アプリケーションを識別するアプリ識別情報と、発生した前記所定条件を識別する条件識別情報とを発生条件記憶部に記憶し、
前記発生条件記憶部に記憶されている情報を前記条件識別情報ごとに集計し、集計結果をまとめた管理画面の前記条件識別情報を、前記条件識別情報と前記所定条件として表示される測定項目名とを対応付けて記憶する測定項目設定DBに基づいて前記測定項目名に置き換えた前記管理画面を生成する
ステップを含む情報処理方法。
【発明の詳細な説明】
【技術分野】
【０００１】
本発明は、情報処理装置、情報処理方法、およびプログラムに関し、特に、クライアントが所望する測定項目を簡単に測定することができるようにする情報処理装置、情報処理方法、およびプログラムに関する。
【背景技術】
【０００２】
パーソナルコンピュータやスマートフォンなどの端末などから、所定のWEBページにアクセスされた件数などを測定するアクセス解析サービスや、所定のWEBページに表示された広告をきっかけとして広告主のホームページにアクセスしてきた件数などの広告の効果を測定する広告効果測定サービスが知られている（例えば、特許文献１，２参照）。
【０００３】
従来、アクセス解析や広告効果測定の対象となる測定項目は、アクセス解析サービスや広告効果測定サービスを提供するサービス提供業者によって予め用意されて決められていた。従って、アクセス解析サービスや広告効果測定サービスの依頼者であるクライアント（例えば、WEBページの提供者）が、サービス提供業者が用意した測定項目以外の項目を測定することはできなかった。
【０００４】
例えば、図１左側に示すように、サイト訪問数、ページビュー、滞在時間、サイト訪問ユニーク数、商品売上金額、商品購入回数の６項目が、測定項目として、サービス提供業者によって決められていたとする。この場合、クライアントが、その６項目にはない項目、例えば、図１右側に示すような、リピート訪問回数、リピート購入回数、メルマガ登録数、会員の年齢、問い合わせ件数、再入会数などを測定したいと希望しても、測定することができなかった。
【先行技術文献】
【特許文献】
【０００５】
【特許文献１】特開２０１０−１５７１５１号公報
【特許文献２】特開２０１１−０３４４３８号公報
【発明の概要】
【発明が解決しようとする課題】
【０００６】
このようなサービス提供業者が用意した測定項目以外の項目を測定したい場合には、サービス提供業者がサービス提供プログラムを特定のクライアントのためにその都度改変する必要があり、手間や時間がかかるという問題があった。
【０００７】
本発明は、このような状況に鑑みてなされたものであり、クライアントが所望する測定項目を簡単に測定することができるようにするものである。
【課題を解決するための手段】
【０００８】
本発明の第１の側面の情報処理装置は、所定の端末上に表示された所定のWEBサイトのWEBページにおける予め定めた所定条件の発生を計測する処理を行う情報処理装置において、前記所定条件を識別する条件識別情報と、前記所定条件として表示される測定項目名とを対応付けて記憶する測定項目設定DBと、前記WEBページにおいて前記所定条件が発生した場合に、前記WEBページのデータを送信することにより前記端末の画面に前記WEBページを表示させているサーバ装置から通知される、前記WEBサイトを識別するサイト識別情報と、発生した前記所定条件の前記条件識別情報とを記憶する発生条件記憶部と、前記発生条件記憶部に記憶されている情報を前記条件識別情報ごとに集計し、集計結果をまとめた管理画面の前記条件識別情報を、前記測定項目設定DBに基づいて前記測定項目名に置き換えた前記管理画面を生成する管理画面制御部とを備える。
【０００９】
本発明の第１の側面の情報処理方法は、所定の端末上に表示された所定のWEBサイトのWEBページにおける予め定めた所定条件の発生を計測する処理を行う情報処理装置による情報処理方法であって、前記WEBページにおいて前記所定条件が発生した場合に、前記WEBページのデータを送信することにより前記端末の画面に前記WEBページを表示させているサーバ装置から通知される、前記WEBサイトを識別するサイト識別情報と、発生した前記所定条件を識別する条件識別情報とを発生条件記憶部に記憶し、前記発生条件記憶部に記憶されている情報を前記条件識別情報ごとに集計し、集計結果をまとめた管理画面の前記条件識別情報を、前記条件識別情報と前記所定条件として表示される測定項目名とを対応付けて記憶する測定項目設定DBに基づいて前記測定項目名に置き換えた前記管理画面を生成するステップを含む。
【００１０】
本発明の第１の側面のプログラムは、所定の端末上に表示された所定のWEBサイトのWEBページにおける予め定めた所定条件の発生を計測する処理を行うコンピュータに、前記WEBページにおいて前記所定条件が発生した場合に、前記WEBページのデータを送信することにより前記端末の画面に前記WEBページを表示させているサーバ装置から通知される、前記WEBサイトを識別するサイト識別情報と、発生した前記所定条件を識別する条件識別情報とを発生条件記憶部に記憶し、前記発生条件記憶部に記憶されている情報を前記条件識別情報ごとに集計し、集計結果をまとめた管理画面の前記条件識別情報を、前記条件識別情報と前記所定条件として表示される測定項目名とを対応付けて記憶する測定項目設定DBに基づいて前記測定項目名に置き換えた前記管理画面を生成するステップを含む処理を実行させるためのものである。
【００１１】
本発明の第１の側面においては、所定の端末上に表示された所定のWEBサイトのWEBページにおいて予め定めた所定条件が発生した場合に、前記WEBページのデータを送信することにより前記端末の画面に前記WEBページを表示させているサーバ装置から通知される、前記WEBサイトを識別するサイト識別情報と、発生した前記所定条件を識別する条件識別情報とが発生条件記憶部に記憶され、前記発生条件記憶部に記憶されている情報が前記条件識別情報ごとに集計され、集計結果をまとめた管理画面の前記条件識別情報が、前記条件識別情報と前記所定条件として表示される測定項目名とを対応付けて記憶する測定項目設定DBに基づいて前記測定項目名に置き換えられた前記管理画面が生成される。
本発明の第２の側面の情報処理装置は、所定の端末で実行されているアプリケーションの画面における予め定めた所定条件の発生を計測する処理を行う情報処理装置において、前記所定条件を識別する条件識別情報と、前記所定条件として表示される測定項目名とを対応付けて記憶する測定項目設定DBと、前記画面において前記所定条件が発生した場合に、前記アプリケーションから通知される、前記アプリケーションを識別するアプリ識別情報と、発生した前記所定条件の前記条件識別情報とを記憶する発生条件記憶部と、前記発生条件記憶部に記憶されている情報を前記条件識別情報ごとに集計し、集計結果をまとめた管理画面の前記条件識別情報を、前記測定項目設定DBに基づいて前記測定項目名に置き換えた前記管理画面を生成する管理画面制御部とを備える。
本発明の第２の側面の情報処理方法は、所定の端末で実行されているアプリケーションの画面における予め定めた所定条件の発生を計測する処理を行う情報処理装置による情報処理方法であって、前記画面において前記所定条件が発生した場合に、前記アプリケーションから通知される、前記アプリケーションを識別するアプリ識別情報と、発生した前記所定条件を識別する条件識別情報とを発生条件記憶部に記憶し、前記発生条件記憶部に記憶されている情報を前記条件識別情報ごとに集計し、集計結果をまとめた管理画面の前記条件識別情報を、前記条件識別情報と前記所定条件として表示される測定項目名とを対応付けて記憶する測定項目設定DBに基づいて前記測定項目名に置き換えた前記管理画面を生成するステップを含む。
本発明の第２の側面においては、所定の端末で実行されているアプリケーションの画面において予め定めた所定条件が発生した場合に、前記アプリケーションから通知される、前記アプリケーションを識別するアプリ識別情報と、発生した前記所定条件を識別する条件識別情報とが発生条件記憶部に記憶され、前記発生条件記憶部に記憶されている情報が前記条件識別情報ごとに集計され、集計結果をまとめた管理画面の前記条件識別情報が、前記条件識別情報と前記所定条件として表示される測定項目名とを対応付けて記憶する測定項目設定DBに基づいて前記測定項目名に置き換えられた前記管理画面が生成される。
【発明の効果】
【００１２】
本発明の一側面によれば、クライアントが所望する測定項目を簡単に測定することができる。
【図面の簡単な説明】
【００１３】
【図１】従来の問題を説明する図である。
【図２】本発明を適用した効果測定システムの一実施の形態の構成例を示す図である。
【図３】図２の効果測定サーバによる管理画面の例を示す図である。
【図４】図２の効果測定サーバの機能的構成例を示すブロック図である。
【図５】効果測定システムの集計処理を説明する図である。
【図６】管理画面の表示制御処理を説明するフローチャートである。
【図７】管理画面のその他の例を示す図である。
【図８】本発明を適用したコンピュータの一実施の形態の構成例を示すブロック図である。
【発明を実施するための形態】
【００１４】
［効果測定システムの構成例］
図２は、本発明を適用した効果測定システムの一実施の形態の構成例を示している。
【００１５】
図２の効果測定システムは、ユーザが、端末１を操作して所定のWEBサイト（WEBサーバ）２にアクセスしたときの各WEBサイト２の効果測定を行うシステムであり、ユーザが操作する端末１と、アクセス先としての各WEBサイト２と、効果測定を行う効果測定サーバ３とを含む。端末１、WEBサイト２、及び効果測定サーバ３は、移動体電話通信網やインターネットなどのネットワーク４を介して相互に接続される。
【００１６】
端末１は、パーソナルコンピュータ、スマートフォン、PDA (Personal Digital Assistant)などにより構成され、端末１上で起動されたWEBブラウザによって、各WEBサイト２にアクセスし、アクセス先のWEBサイト２が提供するWEBページの画面を表示する。
【００１７】
WEBサイト２はサーバ装置により構成され、サーバ装置のURL (Uniform Resource Locator)が端末１のWEBブラウザ上で指定されることで、端末１からWEBサイト２にアクセスされる。
【００１８】
WEBサイト２ではサーバプログラム３１（図５）が実行され、実行されたサーバプログラム３１が、端末１から送信されてくる、HTTP（Hyper Text Transfer Protocol）によるWEBページのリクエストを受信し、リクエストに応じたWEBページのデータをHTTPにより送信することで、端末１に所定のWEBページの画面を表示させる。
【００１９】
本実施の形態において、端末１からネットワーク４を介してアクセス可能なWEBサイト２には、例えば、A社が運営するWEBサイト２A、B社が運営するWEBサイト２B、C社が運営するWEBサイト２Cなどがあるものとする。
【００２０】
効果測定サーバ３は、各WEBサイト２の効果測定を行うサーバ装置であり、各WEBサイト２を運営しているA社、B社、及びC社は、効果測定サーバ３を運営し、効果測定サービスを提供するサービス提供業者にとってのクライアントである。効果測定サーバ３は、クライアントのWEBサイト２ごとに指定された測定項目を測定し、その測定結果を集計した画面を管理画面として表示する。
【００２１】
[管理画面の表示例]
図３は、効果測定サーバ３が表示する管理画面の例であって、A社のWEBサイト２Aの測定項目ごとの測定結果を表示する管理画面の例を示している。
【００２２】
図３の管理画面では、画面一番上のサイトを指定する欄において「A社」が指定されており、A社のWEBサイト２Aについての測定結果であることを示している。
【００２３】
A社のWEBサイト２Aにおける管理画面では、測定項目として、「クリック」、「獲得」、「退会」、「登録フロー１（登録ページ）」、「登録フロー２（空メール送信）」、「登録フロー３（登録フォーム）」、「会員登録完了」、「貯めたポイント数」、「使用したポイント数」、「バナークリック数」、「再登録」、および「年齢」が表示されている。これらの測定項目は、WEBサイト２Aにおいて測定したい項目として、クライアント（A社）によって設定された項目であり、クライアントごとに異なる項目である。
【００２４】
また、管理画面では、各測定項目に対して、「測定数」、「値の合計」、「値の平均」、及び「測定時間」のそれぞれの集計結果が表示される。
【００２５】
ただし、管理画面において、測定項目の集計結果として必須の表示項目は、WEBサイト２Aにおいて、指定された測定項目が単純に検知（測定）された件数を表す「測定数」のみであり、その他の表示項目は付加的な情報である。
【００２６】
「値の合計」は、指定された測定項目に対して、付属情報としてなんらかの値を入力可能であるとき、付属情報として入力された値の合計値を表す。例えば、測定項目「年齢」では、WEBページで年齢を入力する項目があり、年齢の入力というアクションがなされたとき、測定項目「年齢」の「測定数」は１件のカウントアップとなり、入力された年齢の値が、測定項目「年齢」の「値の合計」に加算される。「値の平均」は、指定された測定項目の付属情報の値の平均値を表す。
【００２７】
「測定時間」は、最初にWEBサイト２Aにアクセスしてから、その測定項目に達するまでの時間を表す。
【００２８】
［効果測定サーバ３の機能構成ブロック図］
図４は、図３に示した管理画面を表示する効果測定サーバ３の機能的構成例を示すブロック図である。
【００２９】
効果測定サーバ３は、測定項目データ取得部２１、測定項目データ記憶部２２、測定項目設定DB２３、および管理画面制御部２４により構成される。
【００３０】
測定項目データ取得部２１は、各WEBサイト２からネットワーク４を介して送信されてくる、測定項目の集計に必要な測定項目データを取得し、測定項目データ記憶部２２に記憶させる。測定項目データ記憶部２２は、測定項目データ取得部２１から供給される測定項目データを記憶する。
【００３１】
ここで、各WEBサイト２から送信されてくる、測定項目の集計に必要な測定項目データは、例えば、WEBサイト２を識別する情報であるサイトID、測定項目を識別する情報である測定項目ID、端末１のユーザを識別する情報であるユーザID、及び、付属情報である。
【００３２】
なお、サイトIDと測定項目IDは、測定項目の集計に必須の情報であるが、ユーザIDと付属情報は、必要に応じて付加される任意の情報である。ユーザIDは、例えば、測定項目が「会員登録」の測定数であって、同一ユーザによる会員登録の数を除外したい場合などのように、ユーザの重複を避けたい場合などに付加される。ユーザIDには、ユーザが使用している端末１に固有な個体識別情報などを採用することができる。また、付属情報は、上述した「年齢」の測定項目のような、入力された値を送信するときなどに付加される。
【００３３】
測定項目設定DB２３は、各WEBサイト２から送信されてくる測定項目IDと、それに対応して管理画面で表示される測定項目名とを対応付けた測定項目テーブルを記憶する。例えば、図３に示した管理画面の例で説明すると、測定項目設定DB２３の測定項目テーブルには、測定項目ID「１」に対して測定項目名「クリック」が、測定項目ID「２」に対して測定項目名「獲得」が、測定項目ID「３」に対して測定項目名「退会」が、それぞれ、対応付けられている。以下同様に、測定項目設定DB２３の測定項目テーブルにおいて、「登録フロー１（登録ページ）」、「登録フロー２（空メール送信）」、「登録フロー３（登録フォーム）」、「会員登録完了」、「貯めたポイント数」、「使用したポイント数」、「バナークリック数」、「再登録」、および「年齢」の各測定項目名にも、測定項目IDが対応付けられて記憶されている。なお、測定項目IDは、上述したような「数字（序数）」以外にもアルファベットやその組み合わせでもよい。
【００３４】
測定項目設定DB２３内において、測定項目IDと測定項目名とを対応付けた測定項目テーブルは、効果測定の対象であるWEBサイト２ごとに設けられる。
【００３５】
管理画面制御部２４は、測定項目データ記憶部２２に記憶されている測定項目データと、測定項目設定DB２３に記憶されている測定項目テーブルに基づいて、図３に示したような管理画面を、所定のディスプレイに表示させる。具体的には、管理画面制御部２４は、測定項目データ記憶部２２に記憶されている測定項目データに基づいて、管理画面を表示するのに必要な情報を測定項目IDごとに集計する。そして、管理画面制御部２４は、表示対象のWEBサイト２の測定項目テーブルに基づいて、集計結果の測定項目IDを測定項目名に置き換えた管理画面を生成して表示させる。
【００３６】
［測定項目の集計処理の概要］
図５を参照して、測定項目を集計する際の効果測定システムの処理（集計処理）について説明する。
【００３７】
WEBサイト２内のサーバプログラム３１は、WEBサイト２にアクセスしてきた（ユーザの）端末１の画面に所定のWEBページを表示させる処理を実行する。そして、サーバプログラム３１は、例えば、WEBページ上の所定のボタンがクリックされたなど、計測すべき測定項目としての予め定めた所定の条件が発生したか否かを監視する。
【００３８】
WEBサイト２のWEBページを制御するサーバプログラム３１では、計測すべき測定項目としての予め定めた所定の条件が発生した場合、効果測定サーバ３の測定項目設定DB２３に記憶されている測定項目テーブルで定義された測定項目IDを、サイトIDなどともに効果測定サーバ３に通知するようにプログラムされている。
【００３９】
従って、サーバプログラム３１は、計測すべき測定項目として予め設定した所定の条件が発生したことを検知した場合、測定項目の集計に必要な測定項目データ、即ち、サイトID、測定項目ID、ユーザID、及び付属情報の各データを、効果測定サーバ３に通知する。
【００４０】
効果測定サーバ３は、サーバプログラム３１から通知された測定項目データを取得し、測定項目データ記憶部２２に保存する。
【００４１】
［管理画面の表示制御処理］
次に、図６のフローチャートを参照して、管理画面の表示が指示された場合に実行される、管理画面の表示制御処理について説明する。なお、図６の処理において、どのクライアント（WEBサイト２）の管理画面を表示するかは既に決定されているとする。
【００４２】
初めに、ステップＳ１において、効果測定サーバ３の管理画面制御部２４は、測定項目データ記憶部２２に記憶されている測定項目データのなかから、クライアントのWEBサイト２の測定項目データを取得し、測定項目IDごとに集計する。
【００４３】
図３の管理画面の例では、管理画面制御部２４は、クライアントのWEBサイト２のサイトIDの測定項目IDごとに、「測定数」、「値の合計」、「値の平均」、及び「測定時間」を集計する。
【００４４】
そして、ステップＳ２において、管理画面制御部２４は、測定項目データ記憶部２２内に記憶されているクライアントのWEBサイト２の測定項目テーブルに基づいて、集計結果の測定項目IDを、測定項目名に置き換えた管理画面を生成し、表示させる。
【００４５】
図３の管理画面の例では、管理画面制御部２４は、１番目の測定項目ID「１」を、測定項目名「クリック」に置き換え、２番目の測定項目ID「２」を、測定項目名「獲得」に置き換え、３番目の測定項目ID「３」を、測定項目名「退会」に置き換える。同様に、管理画面制御部２４は、測定項目ID「３」，「４」，「５」，「６」，「７」，「８」，・・・を、測定項目名「登録フロー１（登録ページ）」，「登録フロー２（空メール送信）」，「登録フロー３（登録フォーム）」，「会員登録完了」，「貯めたポイント数」，「使用したポイント数」，・・・に順次置き換える。
【００４６】
これにより、図３に示したような、測定項目として、「クリック」、「獲得」、「退会」、「登録フロー１（登録ページ）」、「登録フロー２（空メール送信）」、「登録フロー３（登録フォーム）」、「会員登録完了」、「貯めたポイント数」、「使用したポイント数」、「バナークリック数」、「再登録」、および「年齢」が表示され、各測定項目に対応して「測定数」、「値の合計」、「値の平均」、及び「測定時間」の集計結果が表示された管理画面が完成し、クライアント（WEBサイト２の運営業者）のコンピュータのディスプレイに表示される。
【００４７】
以上のように、効果測定サーバ３では、計測すべき測定項目の名称と、その測定項目を識別する測定項目IDとを対応付けた測定項目テーブルを、効果測定対象のWEBサイト２ごとに記憶している。そして、計測すべき測定項目としての所定条件が発生した場合に、WEBサイト２から、測定項目IDによって、計測すべき測定項目の発生が効果測定サーバ３に通知されるようになされている。
【００４８】
これにより、効果測定サーバ３において、各WEBサイト２で計測すべき測定項目の追加が必要になった場合でも、測定項目データ記憶部２２内の、測定項目名と、それに対応する測定項目IDとの対応データを測定項目テーブルに追加するだけで、追加の測定項目について、管理画面に表示させることができる。
【００４９】
また、効果測定サーバ３では、効果測定対象のWEBサイト２のどのような測定項目を集計の対象とするかは問題とならず、単純に、測定項目IDに従って、効果測定対象のWEBサイト２を識別するサイトIDごとに、測定項目データを蓄積するだけでよい。従って、効果測定サーバ３で計測可能な測定項目に制限はなく、効果測定サーバ３では、WEBサイト２のサイト運営業者であるクライアントが所望するどのような測定項目でも簡単に測定することができる。
【００５０】
［変形例］
上述した実施の形態では、WEBサイト２内のサーバプログラム３１が、計測すべき測定項目としての所定の条件が発生したことを検知して、測定項目データを送信するようにした。しかし、HTML(Hyper Text Markup Language)のIMGタグを用いて、計測すべき所定の条件が発生したことを検知し、測定項目データをIMGタグのURL情報として、効果測定サーバ３に通知するようにしてもよい。
【００５１】
なお、上述した例では、本発明を、WEBサイト２の効果測定を行う効果測定サーバ３に適用した実施の形態について説明したが、本発明は、WEBサイト２のアクセス解析を行うアクセス解析サーバに適用することもできる。即ち、本発明は、WEBページで所定の条件が発生したときのアクションや状態遷移を測定する測定サーバに適用することができる。
【００５２】
また、近年、スマートフォンと呼ばれる、携帯電話機と携帯情報端末を融合させた高機能の携帯端末が急速に普及してきている。スマートフォンでは、一般にアプリと呼ばれる、アプリケーションプログラム（Application Program）を端末上で実行することができる。
【００５３】
効果測定サーバやアクセス解析サーバには、上述したWEBサイト２のWEBページ上のアクションや状態遷移を測定するものだけでなく、スマートフォンで実行されるアプリのアクションや状態遷移を測定するものもある。本発明は、スマートフォンのアプリ画面においてユーザの操作等により所定の条件が発生したことを検知して、効果測定やアクセス解析を行う測定サーバにも適用することができる。
【００５４】
本発明を、スマートフォンのアプリ画面において所定の条件が発生したことを検知して、アクセス解析や効果測定を行う測定サーバに適用する場合には、スマートフォン上で実行されているアプリが、計測すべき測定項目としての所定の条件の発生を検知し、アプリID、測定項目ID、ユーザID、及び付属情報の各データを測定サーバ（例えば、効果測定サーバ３）に通知する。即ち、スマートフォンのアプリの測定項目を測定する場合には、上述した実施の形態のサイトIDに代えて、アプリを識別する情報であるアプリIDが、測定サーバに通知される点が異なり、それ以外は同様となる。また、アプリがアプリIDを含む測定項目データを測定サーバに通知する方法には、アプリが直接、測定サーバに通知する方法と、アプリがスマートフォン上で動作するときにアクセスするアプリサーバを介して、測定サーバに通知する方法とがある。
【００５５】
［スマートフォンのアプリの管理画面例］
図７は、スマートフォンのアプリの管理画面の表示例を示している。
【００５６】
図７の管理画面では、従来では測定が不可能であった測定項目の例として、有料アプリを決済する場合の決済方法として、スマートフォンの通信会社Aの決済サービスによる決済、スマートフォンの通信会社Bの決済サービスによる決済、及び、クレジットカードによる決済、の３つの異なる決済方法をそれぞれ測定項目として区別して、複数の決済サービスを一元管理する例が示されている。
【００５７】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００５８】
図８は、上述した一連の処理をプログラムにより実行するコンピュータ（サーバ装置）のハードウエアの構成例を示すブロック図である。
【００５９】
コンピュータにおいて、CPU（Central Processing Unit）１０１，ROM（Read Only Memory）１０２，RAM（Random Access Memory）１０３は、バス１０４により相互に接続されている。
【００６０】
バス１０４には、さらに、入出力インタフェース１０５が接続されている。入出力インタフェース１０５には、入力部１０６、出力部１０７、記憶部１０８、通信部１０９、及びドライブ１１０が接続されている。
【００６１】
入力部１０６は、キーボード、マウス、マイクロホンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。ドライブ１１０は、磁気ディスク、光ディスク、光磁気ディスク、或いは半導体メモリなどのリムーバブル記録媒体１１１を駆動する。
【００６２】
図４の測定項目データ取得部２１は、通信部１０９およびCPU１０１等に対応し、図４の測定項目データ記憶部２２および測定項目設定DB２３は、記憶部１０８やRAM１０３に対応し、図４の管理画面制御部２４は、CPU１０１に対応する。
【００６３】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した測定項目データの集計処理、管理画面の表示制御処理等の一連の処理が行われる。
【００６４】
コンピュータでは、プログラムは、リムーバブル記録媒体１１１をドライブ１１０に装着することにより、入出力インタフェース１０５を介して、記憶部１０８にインストールすることができる。また、プログラムは、ローカルエリアネットワーク、インターネット、デジタル衛星放送といった、有線または無線の伝送媒体を介して、通信部１０９で受信し、記憶部１０８にインストールすることができる。その他、プログラムは、ROM１０２や記憶部１０８に、あらかじめインストールしておくことができる。
【００６５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００６６】
本明細書において、システムとは、複数の装置により構成される装置全体を表すものである。
【００６７】
本発明の実施の形態は、上述した実施の形態に限定されるものではなく、本発明の要旨を逸脱しない範囲において種々の変更が可能である。
【符号の説明】
【００６８】
１  端末
２  WEBサイト
３  効果測定サーバ
４  ネットワーク
２１  測定項目データ取得部
２２  測定項目データ記憶部
２３  測定項目設定DB
２４  管理画面制御部
【図１】
0005797966.tif 000002
【図２】
0005797966.tif 000003
【図３】
0005797966.tif 000004
【図４】
0005797966.tif 000005
【図５】
0005797966.tif 000006
【図６】
0005797966.tif 000007
【図７】
0005797966.tif 000008
【図８】
0005797966.tif 000009